(57)【要約】【課題】  プレフィルドシリンジ内と薬剤容器内とを連通した後に、投与可能状態となり、薬剤が添加されない状態での投与を防止できる薬剤投与具を提供する。【解決手段】薬剤投与具１は、先端部がシール部１６により封止されたプレフィルドシリンジ２と、封止部材４２を有する薬剤容器４と、シール部を刺通可能な外筒側穿刺部５３と封止部材４２を刺通可能な薬剤容器側穿刺部５４とを有する連通部材３とからなる。封止部材４２は、容器本体４１内に延び、かつ、薬剤投与部材を装着可能な薬剤投与部材装着部４４を備える。薬剤投与具１は、外筒側穿刺部５３がシール部１６を刺通し、薬剤容器側穿刺部５４が封止部材４２を刺通した状態にて、封止部材と容器本体との固定を解除することにより、注射針が装着可能な薬剤投与部材装着部４４が露出する。【選択図】図２
2012010930.tif 000002
【特許請求の範囲】
【請求項１】
薬剤投与部材の装着が不能であり、かつ穿刺可能なシール部により封止された先端部を有する外筒と、前記外筒内に摺動可能に収納されたガスケットと、前記ガスケットに装着されたもしくは装着可能なプランジャと、前記外筒内に充填された医療用液体とからなるプレフィルドシリンジと、開口部を有する容器本体と、前記開口部を封止するとともに前記容器本体に固定された封止部材と、前記容器本体内に収納された薬剤とからなる薬剤容器と、前記外筒の前記先端部に装着されたもしくは装着可能であり、前記外筒内と前記薬剤容器内とを連通させるための連通部材とからなる薬剤投与具であって、
前記連通部材は、前記外筒の前記先端部に装着するための外筒装着部と、前記外筒の前記シール部を刺通可能な外筒側穿刺部と前記薬剤容器の前記封止部材を刺通可能な薬剤容器側穿刺部と前記外筒側穿刺部と前記薬剤容器側穿刺部とを連通する連通路とを備える中空針状部と、該中空針状部を保持し、かつ前記薬剤容器の前記封止部材の表面に当接可能な中空針状部保持部とを備え、前記薬剤容器の前記封止部材は、前記容器本体内に延び、かつ、前記薬剤投与部材を装着可能な薬剤投与部材装着部を備え、前記薬剤投与具は、前記連通部材の前記外筒側穿刺部が前記外筒の前記シール部を刺通し、前記薬剤容器側穿刺部が前記薬剤容器の前記封止部材を刺通した状態にて、前記封止部材と前記容器本体との固定を解除することにより、前記プレフィルドシリンジの前記外筒に、前記連通部材および前記薬剤容器の前記封止部材が装着され、かつ前記薬剤投与部材装着部が露出する状態とすることが可能であることを特徴とする薬剤投与具。
【請求項２】
前記中空針状部の前記薬剤容器側穿刺部は、前記薬剤投与部材装着部内に進入するように、前記薬剤容器の前記封止部材を刺通可能であり、かつ、前記中空針状部保持部が前記薬剤容器の前記封止部材の表面に当接した状態にて、前記薬剤容器側穿刺部の先端は、前記薬剤投与部材装着部より突出しないものとなっている請求項１に記載の薬剤投与具。
【請求項３】
前記連通部材の前記外筒装着部は、前記中空針状部保持部より前記外筒側穿刺部を被包するように延びる筒状部である請求項１または２に記載の薬剤投与具。
【請求項４】
前記外筒は、前記先端部に設けられ、かつ前記薬剤投与部材の装着が不能であるノズルを備え、前記シール部は、前記ノズルを封止するものであり、さらに、前記連通部材の前記外筒装着部は、前記ノズルに装着するためのノズル装着部である請求項１ないし３のいずれかに記載の薬剤投与具。
【請求項５】
前記ノズル装着部の内面には、ノズル装着部側係合部を備え、前記外筒のノズルの外面には、前記ノズル装着部側係合部と係合するノズル側係合部を備えている請求項４に記載の薬剤投与具。
【請求項６】
前記連通部材は、前記ノズル装着部を有する筒状本体部材を備え、前記筒状本体部材は、前記中空針状部を保持する前記中空針状部保持部を前記外筒側穿刺部の前記ノズル装着部内への移動を可能とした状態にて収納している請求項４または５に記載の薬剤投与具。
【請求項７】
前記筒状本体部材は、前記中空針状部保持部の移動を規制し、かつ、前記中空針状部保持部が乗り越え可能かつ乗り越え後の移動を規制する係止部を備える請求項６に記載の薬剤投与具。
【請求項８】
前記筒状本体部材は、前記薬剤容器の前記封止部材と係合可能であり、かつ、係合することにより、前記封止部材を保持する封止部材保持機能を備えている請求項６または７に記載の薬剤投与具。
【請求項９】
前記連通部材は、前記外筒の前記ノズルに装着され、かつ、前記中空針状部の前記外筒側穿刺部は、前記シール部に到達しないものとなっている請求項６ないし８のいずれかに記載の薬剤投与具。
【請求項１０】
前記薬剤容器は、前記封止部材を前記容器本体に固定する固定部材を備え、かつ、該固定部材は、前記中空針状部の前記薬剤容器側穿刺部が前記薬剤容器の前記封止部材を刺通し、前記薬剤投与部材装着部内に到達し、前記中空針状部保持部が前記薬剤容器の前記封止部材の表面に当接した状態での前記容器本体からの離脱が可能である請求項１ないし９のいずれかに記載の薬剤投与具。
【請求項１１】
前記薬剤投与部材は、注射針または医療用活栓であり、前記薬剤投与部材装着部は、前記注射針のハブもしくは前記医療用活栓のポートに装着可能である請求項１ないし１０のいずれかに記載の薬剤投与具。
【発明の詳細な説明】
【技術分野】
【０００１】
本発明は、プレフィルドシリンジを利用した薬剤投与具に関する。
【背景技術】
【０００２】
従来、粉末状等の薬剤はバイアルに密封され、必要に応じて注射器により薬剤溶解液を混合して溶解し薬液を作り、粉末状の薬剤を投与可能にして使用している。このような薬液を作る方法としては、外筒内に薬剤溶解液を充填した注射器を用い注射器の外筒のノズルに取付けた注射針を、粉末状の薬剤が収納されているバイアルの封止部材に刺通し、注射器のプランジャを外筒先端のノズル方向に押し込み薬剤溶解液をバイアル内に送り込み、バイアル内にて粉末状の薬剤を溶解し混合し薬液を作り、再び注射器のプランジャを注射器の基端方向に引く操作を行って注射器の外筒内に作成した薬液を吸入し、薬液の投与を行うことができるようにしている。
しかし、これらの薬液を作る操作は手数を要するものであり、異物の混入、細菌による汚染、手・指への負傷事故等の危険性がある。
【０００３】
そこで、このような問題点を解決するものとして、特開平５−１４６５１０号公報（特許文献１）では、溶解用薬剤を収容して口部を栓で密閉された薬剤容器と、薬剤容器の頸部に外嵌された連結外筒と、連結外筒の他端に外嵌された保護筒と、保護筒の内側に収容された溶解液が充填された筒状の溶解液容器と、連結外筒に内嵌された連結内筒の薬剤容器側端壁を貫いて装着された両頭穿刺針とから構成された用時溶解可能な押圧注入型容器が提案されている。
【０００４】
また、特開平１０−３２３３８９号公報（特許文献２）では、溶解液の充填された注射器外筒と、一端にバイアル装着部を備えた両端の開放した筒状のアダプタと、注射器外筒とバイアル装着部に装着されたバイアルを連通する両頭針から構成され、アダプタにはバイアル装着部に近接して両頭針が収容支持され、他端から注射器外筒がスライド可能に挿着され、注射器外筒の先端部はゴムキャップで閉鎖され、基端部はガスケットで密封されて、また、両頭針とアダプタの間には連通順序制御手段が構成された２成分混合用溶解液充填注射器が提案されている。
【先行技術文献】
【特許文献】
【０００５】
【特許文献１】特開平５−１４６５１０号公報
【特許文献２】特開平１０−３２３３８９号公報
【発明の概要】
【発明が解決しようとする課題】
【０００６】
しかしながら、注射器の外筒内に医療用液体（例えば、溶解液）を充填したものは、投与可能な薬液と看過し、薬剤が溶解されていない状態のまま投与される可能性がある。また、穿刺具が注射器の外筒内と薬剤容器内を連通したか否かを容易に認識することが困難であり、両者が連通されていない状態で、注射器のプランジャを操作し、外筒内の薬剤溶解液を漏出させる危険性もある。
そこで、本発明の目的は、医療用液体を充填したプレフィルドシリンジ内と、薬剤を収納した薬剤容器内とを連通した後に、投与可能状態となり、薬剤が添加されない状態での医療用液体のみの誤投与を防止できる薬剤投与具を提供するものである。
【課題を解決するための手段】
【０００７】
上記目的を達成するものは、以下のものである。
（１）  薬剤投与部材の装着が不能であり、かつ穿刺可能なシール部により封止された先端部を有する外筒と、前記外筒内に摺動可能に収納されたガスケットと、前記ガスケットに装着されたもしくは装着可能なプランジャと、前記外筒内に充填された医療用液体とからなるプレフィルドシリンジと、開口部を有する容器本体と、前記開口部を封止するとともに前記容器本体に固定された封止部材と、前記容器本体内に収納された薬剤とからなる薬剤容器と、前記外筒の前記先端部に装着されたもしくは装着可能であり、前記外筒内と前記薬剤容器内とを連通させるための連通部材とからなる薬剤投与具であって、
前記連通部材は、前記外筒の前記先端部に装着するための外筒装着部と、前記外筒の前記シール部を刺通可能な外筒側穿刺部と前記薬剤容器の前記封止部材を刺通可能な薬剤容器側穿刺部と前記外筒側穿刺部と前記薬剤容器側穿刺部とを連通する連通路とを備える中空針状部と、該中空針状部を保持し、かつ前記薬剤容器の前記封止部材の表面に当接可能な中空針状部保持部とを備え、前記薬剤容器の前記封止部材は、前記容器本体内に延び、かつ、前記薬剤投与部材を装着可能な薬剤投与部材装着部を備え、前記薬剤投与具は、前記連通部材の前記外筒側穿刺部が前記外筒の前記シール部を刺通し、前記薬剤容器側穿刺部が前記薬剤容器の前記封止部材を刺通した状態にて、前記封止部材と前記容器本体との固定を解除することにより、前記プレフィルドシリンジの前記外筒に、前記連通部材および前記薬剤容器の前記封止部材が装着され、かつ前記薬剤投与部材装着部が露出する状態とすることが可能である薬剤投与具。
【０００８】
（２）  前記中空針状部の前記薬剤容器側穿刺部は、前記薬剤投与部材装着部内に進入するように、前記薬剤容器の前記封止部材を刺通可能であり、かつ、前記中空針状部保持部が前記薬剤容器の前記封止部材の表面に当接した状態にて、前記薬剤容器側穿刺部の先端は、前記薬剤投与部材装着部より突出しないものとなっている上記（１）に記載の薬剤投与具。
（３）  前記連通部材の前記外筒装着部は、前記中空針状部保持部より前記外筒側穿刺部を被包するように延びる筒状部である上記（１）または（２）に記載の薬剤投与具。
（４）  前記外筒は、前記先端部に設けられ、かつ前記薬剤投与部材の装着が不能であるノズルを備え、前記シール部は、前記ノズルを封止するものであり、さらに、前記連通部材の前記外筒装着部は、前記ノズルに装着するためのノズル装着部である上記（１）ないし（３）のいずれかに記載の薬剤投与具。
（５）  前記ノズル装着部の内面には、ノズル装着部側係合部を備え、前記外筒のノズルの外面には、前記ノズル装着部側係合部と係合するノズル側係合部を備えている上記（４）に記載の薬剤投与具。
（６）  前記連通部材は、前記ノズル装着部を有する筒状本体部材を備え、前記筒状本体部材は、前記中空針状部を保持する前記中空針状部保持部を前記外筒側穿刺部の前記ノズル装着部内への移動を可能とした状態にて収納している上記（４）または（５）に記載の薬剤投与具。
【０００９】
（７）  前記筒状本体部材は、前記中空針状部保持部の移動を規制し、かつ、前記中空針状部保持部が乗り越え可能かつ乗り越え後の移動を規制する係止部を備える上記（６）に記載の薬剤投与具。
（８）  前記筒状本体部材は、前記薬剤容器の前記封止部材と係合可能であり、かつ、係合することにより、前記封止部材を保持する封止部材保持機能を備えている上記（６）または（７）に記載の薬剤投与具。
（９）  前記連通部材は、前記外筒の前記ノズルに装着され、かつ、前記中空針状部の前記外筒側穿刺部は、前記シール部に到達しないものとなっている上記（６）ないし（８）のいずれかに記載の薬剤投与具。
（１０）前記薬剤容器は、前記封止部材を前記容器本体に固定する固定部材を備え、かつ、該固定部材は、前記中空針状部の前記薬剤容器側穿刺部が前記薬剤容器の前記封止部材を刺通し、前記薬剤投与部材装着部内に到達し、前記中空針状部保持部が前記薬剤容器の前記封止部材の表面に当接した状態での前記容器本体からの離脱が可能である上記（１）ないし（９）のいずれかに記載の薬剤投与具。
（１１）  前記薬剤投与部材は、注射針または医療用活栓であり、前記薬剤投与部材装着部は、前記注射針のハブもしくは前記医療用活栓のポートに装着可能である上記（１）ないし（１０）のいずれかに記載の薬剤投与具。
【発明の効果】
【００１０】
本発明の薬剤投与具は、薬剤投与部材の装着が不能であり、かつ穿刺可能なシール部により封止された先端部を有する外筒と、外筒内に摺動可能に収納されたガスケットと、ガスケットに装着されたもしくは装着可能なプランジャと、外筒内に充填された医療用液体とからなるプレフィルドシリンジと、開口部を有する容器本体と、開口部を封止する封止部材と、容器本体内に収納された薬剤とからなる薬剤容器と、外筒の先端部に装着されたもしくは装着可能であり、外筒内と薬剤容器内とを連通させるための連通部材とからなる。さらに、連通部材は、外筒の先端部に装着するための外筒装着部と、外筒のシール部を刺通可能な外筒側穿刺部と薬剤容器の封止部材を刺通可能かつ外筒側穿刺部と連通する薬剤容器側穿刺部とを有する中空針状部と、中空針状部を保持し、薬剤容器の封止部材の表面に当接可能な中空針状部保持部とを備える。薬剤容器の封止部材は、容器本体内に延び、かつ、薬剤投与部材を装着可能な薬剤投与部材装着部を備える。そして、薬剤投与具は、連通部材の外筒側穿刺部が外筒のシール部を刺通し、薬剤容器側穿刺部が薬剤容器の封止部材を刺通した状態にて、封止部材と容器本体との固定を解除することにより、プレフィルドシリンジの外筒の先端部に連通部材および薬剤容器の封止部材が装着された状態かつ薬剤投与部材装着部が露出する状態とすることが可能となっている。
このため、本発明の薬剤投与具では、プレフィルドシリンジは、薬剤投与部材の装着が不能であるノズルを備えるため、プレフィルドシリンジのみでの投与が不能であり、また、プレフィルドシリンジ内と、薬剤を収納した薬剤容器内とを連通させ、かつ、薬剤容器より封止部材を離脱させた後でなければ、薬剤投与部材装着部が露出しないため、薬剤が添加されない医療用液体のみの誤投与を防止する。
【図面の簡単な説明】
【００１１】
【図１】図１は、本発明の薬剤投与具の実施例を示す正面図である。
【図２】図２は、図１に示した薬剤投与具における連通部材装着済みプレフィルドシリンジの拡大縦断面図である。
【図３】図３は、図１に示した薬剤投与具における薬剤容器の拡大縦断面図である。
【図４】図４は、図２に示した連通部材装着済みプレフィルドシリンジの先端部の拡大図である。
【図５】図５は、図１ないし図４に示した薬剤投与具の作用を説明するための説明図である。
【図６】図６は、図１ないし図４に示した薬剤投与具の作用を説明するための説明図である。
【図７】図７は、図１ないし図４に示した薬剤投与具の作用を説明するための説明図である。
【図８】図８は、図１ないし図４に示した薬剤投与具の作用を説明するための説明図である。
【図９】図９は、図１ないし図４に示した薬剤投与具の作用を説明するための説明図である。
【図１０】図１０は、本発明の薬剤投与具に用いられる連通部材の他の例を説明するための説明図である。
【図１１】図１１は、本発明の薬剤投与具に用いられる連通部材の他の例を説明するための説明図である。
【図１２】図１２は、本発明の薬剤投与具に用いられる連通部材の他の例を説明するための説明図である。
【図１３】図１３は、本発明の薬剤投与具の他の実施例を示す正面図である。
【図１４】図１４は、図１３に示した薬剤投与具における連通部材の拡大縦断面図である。
【図１５】図１５は、図１３に示した薬剤投与具における薬剤容器の拡大縦断面図である。
【図１６】図１６は、図１３ないし図１５に示した薬剤投与具の作用を説明するための説明図である。
【図１７】図１７は、図１３ないし図１５に示した薬剤投与具の作用を説明するための説明図である。
【図１８】図１８は、図１３ないし図１５に示した薬剤投与具の作用を説明するための説明図である。
【図１９】図１９は、図１３ないし図１５に示した薬剤投与具の作用を説明するための説明図である。
【図２０】図２０は、図１３ないし図１５に示した薬剤投与具の作用を説明するための説明図である。
【発明を実施するための形態】
【００１２】
以下、本発明の薬剤投与具を図面に示す実施例に基づいて説明する。
本発明の薬剤投与具１は、薬剤投与部材の装着が不能であり、かつ穿刺可能なシール部（具体的には、ノズルシール部材）１６により封止された先端部（具体的には、ノズル２２）を有する外筒１２と、外筒１２内に摺動可能に収納されたガスケット１７と、ガスケット１７に装着されたもしくは装着可能なプランジャ１８と、外筒１２内に充填された医療用液体２７とからなるプレフィルドシリンジ２と、開口部を有する容器本体４１と、開口部を封止する封止部材４２と、容器本体４１内に収納された薬剤４５とからなる薬剤容器４と、外筒１２の先端部（ノズル）２２に装着されたもしくは装着可能であり、外筒１２内と薬剤容器４内とを連通させるための連通部材３とからなる。連通部材３は、先端部（ノズル）２２に装着するための外筒装着部（言い換えれば、ノズル装着部）３２と、外筒１２のシール部（ノズルシール部材）１６を刺通可能な外筒側穿刺部５３と薬剤容器４の封止部材４２を刺通可能かつ外筒側穿刺部５３と連通する薬剤容器側穿刺部５４とを有する中空針状部５２と、中空針状部５２を保持し、薬剤容器４の封止部材４２の表面に当接可能な中空針状部保持部５１とを備える。薬剤容器４の封止部材４２は、容器本体４１内に延び、かつ、薬剤投与部材を装着可能な薬剤投与部材装着部４４を備える。そして、薬剤投与具１は、連通部材３の外筒側穿刺部５３が外筒１２のシール部（ノズルシール部材）１６を刺通し、薬剤容器側穿刺部５４が薬剤容器４の封止部材４２を刺通した状態にて、封止部材４２と容器本体４１との固定を解除することにより、プレフィルドシリンジ２の外筒１２の先端部（ノズル）２２に連通部材３および薬剤容器４の封止部材４２が装着された状態かつ薬剤投与部材装着部４４が露出する状態とすることが可能となっている。
そして、図１に示す実施例の薬剤投与具１では、プレフィルドシリンジ２に連通部材３が装着された状態となっている。なお、図１３に示す実施例の薬剤投与具１０では、連通部材３０は、使用時にプレフィルドシリンジ２に装着されるものとなっている。
【００１３】
本発明の薬剤投与具１は、図１および図２に示すように、先端部（ノズル）がシール部１６（ノズルシール部材）にて封止されたプレフィルドシリンジ２と、連通部材３と、薬剤容器４とからなる。そして、連通部材３は、図１、図２および図４に示すように、プレフィルドシリンジ２の先端部（具体的には、ノズル）２２に装着されている。
プレフィルドシリンジ２は、外筒１２と、外筒１２のノズル（先端部）２２を封止するシール部（ノズルシール部材）１６と、外筒１２内に収納されたガスケット１７と、シール部（ノズルシール部材）１６とガスケット１７により密封された外筒１２内に収納（充填）された医療用液体２７とからなる。
【００１４】
ノズル２２は、外筒１２の本体部２１の先端に設けられており、先端開口部を備え、かつ、薬剤投与部材(例えば、注射針）の装着が不能なものとなっている。この実施例では、ノズル２２は、ほぼ同一外径を有する短い筒状部となっている。さらに、この実施例でシリンジでは、ノズル２２の先端部（具体的には、先端）の外面には、リブ２５が設けられている。リブ２５としては、環状リブが好適であるが、非連続の複数（例えば、３〜１２）のリブを環状に設けたものであってもよい。また、この実施例のシリンジ２では、ノズル２２は、上述したリブ部分を除き、ほぼ同一外径のものとなっている。
【００１５】
外筒１２は、図１、図２に示すように、フランジ２４を有する。フランジ２４は、外筒１２の後端全周より垂直方向に突出するように形成された楕円ドーナツ状の円盤部である。フランジ２４は、図１、図２に示すように向かい合う２つの把持部を備え、さらに、把持部の先端面側には、複数のリブが形成されている。
外筒１２は、透明もしくは半透明材料により、必要に応じて、酸素透過性、水蒸気透過性の少ない材料により形成された筒状体である。
外筒１２の形成材料としては、例えば、ポリプロピレン、ポリエチレン、ポリスチレン、ポリアミド、ポリカーボネート、ポリ塩化ビニル、ポリ−（４−メチルペンテン−１）、アクリル樹脂、アクリロニトリル−ブタジエン−スチレン共重合体、ポリエチレンテレフタレート等のポリエステル、環状ポリオレフィンのような各種樹脂が挙げられるが、その中でも成形が容易で耐熱性があることから、ポリプロピレン、環状ポリオレフィンのような樹脂が好ましい。
また、外筒１２のノズル２２は、後述するノズルシール部材１６によりシールされている。
【００１６】
ガスケット１７は、図１、図２および図７に示すようにほぼ同一外径にて延びる本体部と、この本体部に設けられた複数の環状リブ（この実施例では２つ、２つ以上であれば、液密性と摺動性を満足できれば適宜数としてもよい）を備え、これらリブが、外筒１２の内面に液密に接触する。また、ガスケット１７の先端面は、外筒１２の先端内面に当接した時に、両者間に極力隙間を形成しないように、外筒１２の先端内面形状に対応した形状となっている。
ガスケット１７の形成材料としては、弾性を有するゴム（例えば、ブチルゴム、ラテックスゴム、シリコーンゴム、スチレン−ブタジエンゴムなど）、熱可塑性エラストマー（例えば、ＳＢＳエラストマー、ＳＥＢＳエラストマー、ＳＥＰＳエラストマー等のスチレン系エラストマー、エチレン−αオレフィン共重合体エラストマー等のオレフィン系エラストマーなど）等を使用することが好ましい。
そして、ガスケット１７には、その後端部より内部に延びる凹部が設けられ、この凹部が、プランジャ装着部となっている。具体的には、プランジャ装着部は、雌ねじ状となっており、プランジャ１８の先端部に形成された突出部の外面に形成された雄ねじ部と螺合可能となっている。両者が螺合することにより、プランジャ１８は、ガスケット１７に装着される。
プレフィルドシリンジ２内に充填される医療用液体２７としては、注射用蒸留水、生理食塩水、ブドウ糖水溶液などの薬剤溶解液、さらには、薬剤（例えば、ビタミン剤、ミネラル類）を含有するとともに、薬剤容器内の粉末製剤の溶解が可能な薬液でもあってもよい。
【００１７】
シール部は、連通部材３の外筒側穿刺部５３が刺通可能に形成されている。シール部はプレフィルドシリンジの使用時に薬剤溶解後の薬液が液漏れせず、薬剤投与部材装着部から投与可能とされていることが好ましく、外筒先端部と一体であっても、外筒先端の開口にシール部材として固着するものであっても良い。
シール部を形成するノズルシール部材１６は、フィルム状部材、弾性部材などが用いられ、ノズルの先端部に気密に固着されている。フィルム状部材からなるシール部材としては、例えば、気密維持性部材とその上に設けられたシール性部材と、気密維持性部材の下面に設けられた接着性を有する樹脂薄膜とを有するものが使用可能である。気密維持性部材は、ノズルの開口部を密封するとともに、外筒１２内への気体の侵入を防止するものであり、ガスバリヤー性の高い物質により形成されたガスバリヤー性フィルム、例えば、アルミ箔等の金属箔、エチレン−ビニルアルコール共重合体、ポリ塩化ビニリデン等の樹脂フィルム材等により形成される。さらに、このガスバリヤー性フィルムの下面にノズル２２の開口部との固着のために、接着性フィルムを形成する樹脂薄膜を有することが好ましい。樹脂薄膜としては、例えば、外筒形成材料との熱融着性を有するものが用いられる。また、ノズルシール部材１６は、弾性部材により形成してもよく、形成材料としては、例えば、天然ゴム、イソプレンゴム、ブタジエンゴム、フッ素ゴム、シリコーンゴム等の合成ゴム、オレフィン系エラストマーやスチレン系エラストマー等の熱可塑性エラストマー等を使用することが好ましい。また、弾性部材形成材料が、外筒形成材料との熱融着性を有する場合には、熱融着により固着してもよい。
【００１８】
次に、連通部材３について、図１、図２および図４を参照して説明する。
また、この実施例では、連通部材３は、外筒１２の先端部（ノズル）２２に装着され、かつ、中空針状部５２の外筒側穿刺部５３は、シール部（ノズルシール部材）１６に到達しないもの（若干、離間したもの）となっている。そして、この実施例では、連通部材３は、外筒装着部（具体的には、ノズル装着部）３２を有する筒状本体部材３１と、中空針状部５２を保持する中空針状部保持部５１とを備える。そして、筒状本体部材３１は、中空針状部保持部５１を摺動可能に収納している。具体的には、筒状本体部材３１は、中空針状部保持部５１を外筒側穿刺部５３が、外筒装着部３２内に移動可能に収納している。また、薬剤容器側穿刺部５４は、筒状本体部材３１より、突出した状態となっている。このため、この実施例では、中空針状部保持部５１がノズル収納部３２方向に移動することにより、中空針状部５２の外筒側穿刺部５３が、外筒装着部３２内に侵入するとともに、ノズルシール部材１６を刺通するものとなっている。
【００１９】
筒状本体部材３１は、薬剤容器４の封止部材４２を収納可能な中空部を有する短い円筒状（所定の厚さと内部空間を有する円盤状）のものとなっており、その中心より上方に延びる小径の筒状延出部を備えており、その小径の筒状延出部が、外筒装着部３２を形成している。
また、この実施例では、外筒装着部であるノズル装着部３２の内面には、シリンジのノズル２２の先端部（具体的には、先端）に形成されたリブ２５と係合するための、凹部が設けられている。凹部としては、環状凹部が好適である。さらに、筒状本体部材３１は、中空針状部保持部５１の移動を規制し、かつ、中空針状部保持部５１が乗り越え可能かつ乗り越え後の移動を規制する係止部３４を備えている。具体的には、筒状本体部材３１の内面であり、筒状本体部材３１の下端より若干上端側となる位置に係止部３４を構成するリブが設けられている。係止部３４を構成するリブとしては、環状リブが好適であるが、非連続の複数（例えば、３〜１２）のリブを環状に設けたものであってもよい。
【００２０】
さらに、この実施例では、筒状本体部材３１は、薬剤容器４の封止部材４２と係合可能であり、かつ、係合することにより、封止部材４２を保持する封止部材保持機能を備えている。具体的には、筒状本体部材３１の内面の下端には、環状リブ３３が形成されており、さらに、環状リブ３３の下面は、筒状本体部材３１の中央側に向かって縮径するテーパー面となっている。さらに、環状リブ３３の上面は、筒状本体部材３１の中心軸とほぼ直交する起立面となっている。そして、
環状リブ３３の下面の縮径テーパー面は、薬剤容器４の封止部材４２の誘導部を構成し、環状リブ３３の上面の起立面は、筒状本体部材３１内に収納後の薬剤容器４の封止部材４２の下面周縁部と係合する係合部を形成している。このため、
筒状本体部材３１と薬剤容器４の封止部材４２とが係合することにより、封止部材４２が筒状本体部材３１に装着された状態となり、封止部材４２を容器本体４１より、容易に離脱できるものとなっている。
中空針状部保持部５１は、円盤状の部材により形成されており、中央部に中空針状部５２が固定されている。また、中空針状部保持部５１と中空針状部５２とにより、穿刺具５を構成している。中空針状部保持部５１は、図４に示すように、筒状本体部材３１の係止部３４と当接し、係止されている。中空針状部５２は、中空針状部保持部５１の上面より上方（外筒装着部３２方向）に延び、ノズルシール部材１６を穿刺可能な外筒側穿刺部５３と、中空針状部保持部５１の下面より下方に延び、薬剤容器４の封止部材４２を刺通可能な薬剤容器側穿刺部５４とを有する。そして、外筒側穿刺部５３と薬剤容器側穿刺部５４とは内部が連通している。外筒側穿刺部５３は、ノズルシール部材１６を刺通可能な刃先を備え、薬剤容器側穿刺部５４は、薬剤容器４の封止部材４２を刺通可能な刃先を有する。また、中空針状部（外筒側穿刺部５３および薬剤容器側穿刺部５４）は、 筒状本体部材３１および中空針状部保持部５１の中心軸上を延びるものとなっている。
【００２１】
本発明の薬剤投与具に用いられる薬剤容器４は、図３に示すように、開口部を有する容器本体４１と、容器本体４１の開口部を封止する封止部材４２と、容器本体４１内に収納された薬剤４５とからなる。
そして、薬剤容器４の封止部材４２は、容器本体４１内に延び、かつ、薬剤投与部材を装着可能な薬剤投与部材装着部４４を備えている。
そして、本発明の薬剤投与具１は、連通部材３の外筒側穿刺部５３が外筒１２のノズルシール部材１６を刺通し、薬剤容器側穿刺部５４が薬剤容器４の封止部材４２を刺通し、中空針状部保持部５１が薬剤容器４の封止部材４２の表面に当接した状態とし、さらに、容器本体との固定を解除することにより、プレフィルドシリンジ２のノズル２２に連通部材３および薬剤容器４の封止部材４２が装着された状態とすることが可能となっている。このため、プレフィルドシリンジのみでは、シリンジ内の液剤の投与が不能であるが、プレフィルドシリンジ２に連通部材３および薬剤容器４の封止部材４２が装着された状態となり、かつ、薬剤容器より離脱することにより、封止部材４２の薬剤投与部材装着部４４が露出し、これに注射針などを装着することにより、シリンジ内の薬剤の投与が可能となる。
容器本体４１としては、開口部を有し、内部に薬剤４５を収納可能なものであれば、どのようなものであってもよい。例えば、硬質もしくは半硬質合成樹脂製容器、ガラス容器などが使用される。また、薬剤容器は、内部が減圧されたものであることが好ましい。開口部をシールする封止部材４２としては、穿刺具５の中空針状部の薬剤容器側穿刺部５４による穿刺（刺通）が可能なものであればどのようなものでもよい。
【００２２】
封止部材４２としては、少なくとも中央部分４３が、上述した中空針状部５２の薬剤容器側穿刺部５４により刺通可能なものとなっている。そして、封止部材４２は、筒状の薬剤投与部材装着部４４を備えている。薬剤投与部材装着部４４は、注射針（具体的には、注射針ハブ）または医療用活栓（三方活栓などの活栓のポート）などの薬剤投与部材の接続部への装着が可能である。具体的には、薬剤投与部材装着部４４は、ルアーテーパ状に縮径するノズル状のものとなっている。
さらに、中空針状部５１の薬剤容器側穿刺部５４は、薬剤投与部材装着部４４内に進入するように、薬剤容器４の封止部材４２を刺通可能なものとなっている。そして、中空針状部保持部５１が薬剤容器４の封止部材４２の表面に当接した状態にて、薬剤容器側穿刺部５４の先端（刃先）は、薬剤投与部材装着部４４より突出しないものであることが好ましい。このようにすることにより、薬剤容器側穿刺部５４が、露出しないものとなり、薬剤投与部材装着部４４への薬剤投与具（例えば、注射針）装着作業時における誤穿刺を防止できる。
また、この実施例のものでは、封止部材４２は、底面の周縁より若干内側となる位置に設けられた環状溝４２ａを備えており、容器本体４１の開口端４１ａを液密に収納するものとなっている。さらに、封止部材４２の底面の周縁部、具体的には、環状溝４２ａと周縁間の環状部分は、筒状本体部材３１の装着時に、筒状本体部材３１の環状リブ３３の上面により形成された起立面と当接するものとなっている。
【００２３】
封止部材４２の形成材料としては、例えば、弾性材料、例えば、ブチルゴム、ラテックスゴム、シリコーンゴム、スチレン−ブタジエンゴムなどのゴム、ＳＢＳエラストマー、ＳＥＢＳエラストマー、ＳＥＰＳエラストマー等のスチレン系エラストマー、エチレン−αオレフィン共重合体エラストマー等のオレフィン系エラストマーなどのエラストマー等が好ましい。
薬剤としては、外筒１２内に充填される医療用液体２７（具体的には、溶解液）に溶解するものであれば、粉末状薬剤、凍結乾燥薬剤、固形状薬剤、液状薬剤などどのようなものであってもよい。薬剤としては、例えば、ビタミン剤（総合ビタミン剤）、各種アミノ酸、ヘパリンのような抗血栓剤、インシュリン、抗生物質、抗腫瘍剤、鎮痛剤、強心剤、静注麻酔剤、抗パーキンソン剤、潰瘍治療剤、副腎皮質ホルモン剤、不整脈用剤、ホルモン製剤、インターフェロン製剤、ヒト免疫グロブリン製剤、血液凝固因子製剤、ワクチン製剤などのタンパク製剤等が挙げられる。
【００２４】
次に、上述した実施例の薬剤投与具１の作用を図１ないし図６を用いて説明する。
本発明の薬剤投与具は、図１に示すように、プレフィルドシリンジ２に連通部材３が装着された状態となっている。なお、薬剤容器４は、連通部材３に装着されていない。
そして、初期状態では、図２および図４に示すように、連通部材３の穿刺具５の中空針状部保持部５１が、筒状本体部材３１の係止部３４により係止された状態となっており、また、中空針状部５２の外筒側穿刺部５３は、外筒装着部３２内に進入していない。
そして、図５および図６に示すように、連通部材３に薬剤容器４の封止部材４２部分を装着することにより、穿刺具５の中空針状部保持部５１の薬剤容器側穿刺部５４が、薬剤容器４の封止部材４２を刺通し、薬剤投与部材装着部４４内に進入する。また、連通部材３の穿刺具５の中空針状部保持部５１が、筒状本体部材３１の係止部３４を乗り越え、中空針状部５２の外筒側穿刺部５３が、外筒装着部３２内に進入するとともに、プレフィルドシリンジのノズルシール部材１６を刺通する。これにより、プレフィルドシリンジ２内と薬剤容器４内とが中空針状部５２内の通路を介して連通する。また、薬剤容器４の封止部材４２は、図６に示すように、連通部材３の筒状本体部材３１内に収納される。具体的には、薬剤容器４の封止部材４２は、筒状本体部材３１の環状リブ３３を乗り越えて、筒状本体部材３１内に進入し、封止部材４２の底面周縁部は、連通部材３の環状リブ３３（具体的には、環状リブ３３の上面の起立面）と係合する。これにより、薬剤容器４の封止部材４２は、連通部材３に装着された状態となる。
そして、薬剤容器４の内部が減圧されている場合には、薬剤容器内の減圧による吸引力により、プレフィルドシリンジ２内の医療用液体は、薬剤容器４内に流入する。また、薬剤容器４の内部が減圧されていない場合には、プレフィルドシリンジ２のプランジャ１８を押圧することにより、プレフィルドシリンジ２内の医療用液体を薬剤容器内に流入させる。このようにして、図７に示すように、プレフィルドシリンジ２内の医療用液体は、薬剤容器４内に流入し、薬剤４５と医療用液体２７が混合されて薬液が調製される。
【００２５】
そして、図８に示すように、薬剤容器４側が上方となるようにした後、プランジャ１８を引き、薬剤容器４内の調製された薬液２８を外筒１２に吸引する。そして、連通部材３を保持し、容器本体４１のみを離脱させる。これにより、図９に示すように、調製された薬液２８が外筒１２内に充填され、連通部材３に装着された薬剤容器４の封止部材４２の薬剤投与部材装着部４４が露出した状態となる。これにより、投与準備が完了する。そして、薬剤投与部材装着部４４に注射針などの薬剤投与部材が接続される。
次に、本発明の他の実施例の薬剤投与具１０について、図１３ないし図２０を用いて説明する。この実施例の薬剤投与具１０では、プレフィルドシリンジ２、連通部材３０および薬剤容器４ａは、それぞれ使用時に接続されるタイプのものとなっている。なお、プレフィルドシリンジ２としては、上述したものと同じであるので、上述の説明を参照するものとする。
【００２６】
次に、連通部材３０について、図１４を参照して説明する。
連通部材３０は、外筒装着部（具体的には、ノズル装着部）６１を有するとともに中空針状部５２を保持する中空針状部保持部６０を備える。中空針状部５２は、中空針状部保持部６０の上面より上方（外筒装着部６１内）に延び、シール部（シール部材）１６を穿刺可能な外筒側穿刺部５３と、中空針状部保持部６０の下面より下方に延び、薬剤容器４ａの封止部材４７を刺通可能な薬剤容器側穿刺部５４とを有する。そして、外筒側穿刺部５３と薬剤容器側穿刺部５４とは内部が連通している。外筒側穿刺部５３は、シール部１６を刺通可能な刃先を備え、薬剤容器側穿刺部５４は、薬剤容器４ａの封止部材４７を刺通可能な刃先を有する。また、中空針状部（外筒側穿刺部５３および薬剤容器側穿刺部５４）は、中空針状部保持部６０の中心軸上を延びるものとなっている。
中空針状部保持部６０は、円盤状の部材により形成されており、中央部に中空針状部５２が固定されている。外筒装着部（ノズル装着部）６１は、中空針状部保持部６０より外筒側穿刺部５３を被包するように延びる筒状部である。具体的には、外筒装着部６１は、中空針状部保持部６０の中心より上方に延びる小径の筒状延出部により形成されており、その内部に、外筒側穿刺部５３が位置するものとなっており、外筒側穿刺部５３の刃先は、外筒装着部６１内に位置し、露出しないものとなっている。また、外筒装着部を形成するノズル装着部６１の内面には、シリンジのノズル２２の先端部（具体的には、先端）に形成されたリブ２５と係合するための、凹部６２が設けられている。凹部６２としては、環状凹部が好適である。
【００２７】
本発明の薬剤投与具に用いられる薬剤容器４ａは、図１３および図１５に示すように、開口部を有する容器本体４１と、容器本体４１の開口部を封止する封止部材４７と、容器本体４１内に収納された薬剤４５とを備える。薬剤容器４ａの封止部材４７は、容器本体４１内に延び、かつ、薬剤投与部材を装着可能な薬剤投与部材装着部４４を備えている。さらに、この実施例では、薬剤容器４ａは、封止部材４７を容器本体４１に固定する固定部材４８を備える。さらに、固定部材４８は、中空針状部５２の薬剤容器側穿刺部５４が薬剤容器４ａの封止部材４７を刺通し、薬剤投与部材装着部４４内に到達し、中空針状部保持部６０が薬剤容器４ａの封止部材４７の表面に当接した状態での容器本体４１からの離脱が可能なものとなっている。
そして、この実施例の薬剤投与具１０においても、連通部材３０の外筒側穿刺部５３が外筒１２のノズルシール部材１６を刺通し、薬剤容器側穿刺部５４が薬剤容器４ａの封止部材４７を刺通し、中空針状部保持部６０が薬剤容器４ａの封止部材４７の表面に当接した状態とし、さらに、容器本体との固定を解除することにより、プレフィルドシリンジ２のノズル２２に連通部材３０および薬剤容器４ａの封止部材４７が装着された状態とすることが可能となっている。このため、プレフィルドシリンジのみでは、シリンジ内の液剤の投与が不能であるが、プレフィルドシリンジ２に連通部材３０および薬剤容器４ａの封止部材４７が装着された状態となり、かつ、容器本体４１より離脱することにより、封止部材４７の薬剤投与部材装着部４４が露出し、これに注射針などを装着することにより、シリンジ内の薬剤の投与が可能となる。
【００２８】
容器本体４１としては、開口部を有し、内部に薬剤４５を収納可能なものであれば、どのようなものであってもよい。例えば、硬質もしくは半硬質合成樹脂製容器、ガラス容器などが使用される。また、薬剤容器は、内部が減圧されたものであることが好ましい。開口部をシールする封止部材４７としては、中空針状部５２の薬剤容器側穿刺部５４による穿刺（刺通）が可能なものであればどのようなものでもよい。また、この容器本体４１では、開口部に固定部材取付用のフランジを備えている。フランジは、所定の幅を有する環状突出部となっている。
封止部材４７としては、少なくとも中央部分４３が、上述した中空針状部５２の薬剤容器側穿刺部５４により刺通可能なものとなっている。そして、封止部材４７は、筒状の薬剤投与部材装着部４４を備えている。薬剤投与部材装着部４４は、注射針（具体的には、注射針ハブ）または医療用活栓（三方活栓などの活栓のポート）などの薬剤投与部材の接続部への装着が可能である。具体的には、薬剤投与部材装着部４４は、ルアーテーパ状に縮径するノズル状のものとなっている。
さらに、中空針状部５１の薬剤容器側穿刺部５４は、薬剤投与部材装着部４４内に進入するように、薬剤容器４ａの封止部材４７を刺通可能なものとなっている。そして、中空針状部保持部６０が薬剤容器４ａの封止部材４７の表面に当接した状態にて、薬剤容器側穿刺部５４の先端（刃先）は、薬剤投与部材装着部４４より突出しないものであることが好ましい。このようにすることにより、薬剤容器側穿刺部５４が、露出しないものとなり、薬剤投与部材装着部４４への薬剤投与具（例えば、注射針）装着作業時における誤穿刺を防止できる。
封止部材４７の形成材料としては、例えば、弾性材料、例えば、ブチルゴム、ラテックスゴム、シリコーンゴム、スチレン−ブタジエンゴムなどのゴム、ＳＢＳエラストマー、ＳＥＢＳエラストマー、ＳＥＰＳエラストマー等のスチレン系エラストマー、エチレン−αオレフィン共重合体エラストマー等のオレフィン系エラストマーなどのエラストマー等が好ましい。
【００２９】
封止部材４７を容器本体４１に固定する固定部材４８は、図１３および図１４に示すように、リング状のものであり、封止部材４７の周縁部を上述した容器本体４１の開口部のフランジとともに保持し、封止部材４７を容器本体４１に液密に固定している。また、固定部材４８は、離脱用把持部４９を備えている。そして、固定部材４８は、離脱用把持部４９を把持し、容器本体４１の開口部の周方向に引いていくことにより、容器本体４１より離脱（剥離）可能となっている。固定部材４８の形成材料としては、例えば、アルミニウム、ステンレス鋼などの金属材料、ポリエチレン、ポリプロピレン、ポリエステルなどの合成樹脂などが好適に使用可能である。また、薬剤容器４ａ内に収納される薬剤４５としては、上述した通りである。
【００３０】
次に、上述した実施例の薬剤投与具１０の作用を図１３ないし図２０を用いて説明する。
本発明の薬剤投与具は、図１３に示すプレフィルドシリンジ２に、連通部材３０を装着する。これにより、連通部材３０の中空針状部５２の外筒側穿刺部５３が、プレフィルドシリンジのノズルシール部材１６を刺通する。そして、連通部材３０に薬剤容器４ａの封止部材４７部分を装着する。これにより、中空針状部保持部６０の薬剤容器側穿刺部５４が、薬剤容器４ａの封止部材４７を刺通し、薬剤投与部材装着部４４内に進入し、図１６に示すように、プレフィルドシリンジ２内と薬剤容器４ａ内とが中空針状部５２内の通路を介して連通する。
そして、薬剤容器４ａの内部が減圧されている場合には、薬剤容器内の減圧による吸引力により、プレフィルドシリンジ２内の医療用液体は、薬剤容器４ａ内に流入する。また、薬剤容器４ａの内部が減圧されていない場合には、プレフィルドシリンジ２のプランジャ１８を押圧することにより、プレフィルドシリンジ２内の医療用液体を薬剤容器内に流入させる。このようにして、図１７に示すように、プレフィルドシリンジ２内の医療用液体は、薬剤容器４ａ内に流入し、薬剤４５と医療用液体２７が混合されて薬液が調製される。
【００３１】
そして、図１８に示すように、薬剤容器４ａ側が上方となるようにした後、プランジャ１８を引き、薬剤容器４ａ内の調製された薬液２８を外筒１２に吸引する。そして、図１９に示すように、固定部材４８の離脱用把持部４９を把持し、容器本体４１の開口部の周方向に引き、容器本体４１より、固定部材４８を離脱させる。これにより、連通部材３０および封止部材４７を装着し、調製された薬液２８が充填されたプレフィルドシリンジは、薬剤容器より離脱し、図２０に示すように、封止部材４７の薬剤投与部材装着部４４が露出した状態となる。これにより、投与準備が完了する。そして、薬剤投与部材装着部４４に注射針などの薬剤投与部材が接続される。
【００３２】
そして、上述したすべての実施例において、連通部材は、中空針状部５２の薬剤容器側穿刺部５４を被包するように設けられた一端が閉塞した筒状シース５６を有するものであってもよい。具体的には、図１０に示す穿刺具５ａのように、開口する一端が、中空針状部保持部５１に保持され、中空針状部５２の薬剤容器側穿刺部５４を被包し、薬剤容器側穿刺部５４の刃先より、所定長下方に位置する閉塞端を有する筒状シース５６を有するものであってもよい。そして、シース５６は、薬剤容器側穿刺部５４による刺通が可能であり、さらに、中空針状部保持部５１と薬剤容器４の封止部材間により圧縮が可能なものとなっている。封止部材の形成材料としては、上述した封止部材４２にて説明した弾性材料が好適に使用できる。
【００３３】
また、上述したすべての実施例において、連通部材は、プレフィルドシリンジ内の医療用液体を薬剤容器内への注入時に、薬剤容器内の空気を排出するための空気流通用通路を有するものであってもよい。具体的には、図１１に示す連結具３ａにおいて用いる穿刺具５ｂは、中空針状部５２ａの薬剤容器側穿刺部５４を被包するように設けられた外管５７を備え、薬剤容器側穿刺部５４と外管５７間により、空気流通用通路５８ａを備え、さらに、中空針状部保持部５１にも、上記空気流通用通路５８ａと連通する空気流通用通路５８ｂを備えている。また、通路５８ｂの他端には、菌不透過性通気性フィルタ５９が設けられている。さらに、
筒状本体部材３１には、菌不透過性通気性フィルタ５９を流出する空気を筒状本体部材３１より放出するための開口３５が設けられている。よって、この実施例の穿刺具５ｂは、外管５７と薬剤容器側穿刺部５４の間により形成された通路５８ａおよび中空針状部保持部５１の通路５８ｂを通り、菌不透過性通気性フィルタ５９に至る空気流通路を備えている。このような空気流通路を備えることにより、プレフィルドシリンジ内の医療用液体の薬剤容器内への注入操作、薬剤容器内からのシリンジへの薬剤溶解済医療用液体の再吸引操作が容易となる。
また、上述したすべての実施例において、連結部材は、中空針状部５２の薬剤容器側穿刺部５４側を被包するキャップ２６を有するものであってもよい。具体的には、図１２に示す穿刺具のように筒状本体部材３１の下端開口部に着脱自在に装着されたキャップ２６を有していてもよい。
【符号の説明】
【００３４】
１、１０  薬剤投与具
２  プレフィルドシリンジ
３、３０  連通部材
４、４ａ  薬剤容器
５  穿刺具
【図１】
2012010930.tif 000003
【図２】
2012010930.tif 000004
【図３】
2012010930.tif 000005
【図４】
2012010930.tif 000006
【図５】
2012010930.tif 000007
【図６】
2012010930.tif 000008
【図７】
2012010930.tif 000009
【図８】
2012010930.tif 000010
【図９】
2012010930.tif 000011
【図１０】
2012010930.tif 000012
【図１１】
2012010930.tif 000013
【図１２】
2012010930.tif 000014
【図１３】
2012010930.tif 000015
【図１４】
2012010930.tif 000016
【図１５】
2012010930.tif 000017
【図１６】
2012010930.tif 000018
【図１７】
2012010930.tif 000019
【図１８】
2012010930.tif 000020
【図１９】
2012010930.tif 000021
【図２０】
2012010930.tif 000022